(57)【要約】【課題】サーバ装置が得る観測場所の映像と共に、監視者が災害を予測する上で必要な多くの判断材料を提供する。【解決手段】この監視システムは、観測場所に設置され、その場所の映像を撮影する撮像機器と、観測場所に設置され、その場所で観測データを取得する観測設備と、サーバ装置と、監視場所に設置され、撮像機器から送られてくる映像を監視するための監視機器と、監視機器に伝達するための文字情報および／または音声情報、サーバ装置に通報のための条件設定を行う端末とをネットワークで接続したものである。【選択図】図１
2010283592.tif 000002
【特許請求の範囲】
【請求項１】
観測場所に設置され、その場所の映像を撮影する撮像機器と、観測場所に設置され、その場所で観測データを取得する観測設備と、サーバ装置と、監視場所に設置され、前記撮像機器から送られてくる映像を監視するための監視機器と、前記監視機器に伝達するための文字情報および／または音声情報、前記サーバ装置に通報のための条件設定を行う端末とをネットワークで接続した監視システムにおいて、
前記サーバ装置が、
前記観測設備から今までに受信された観測データの過去データが保存され、前記映像と前記文字情報および／または音声情報との組合せ条件が前記端末から設定可能なデータベースと、
前記端末から入力される文字情報および／または音声情報と、前記撮像機器により撮影された観測場所の映像と、前記観測設備から入力された観測データとをタイムスタンプして前記データベースに登録・保存する登録部と、
前記データベースに新たに登録された前記観測設備からの観測データと前記過去データを使って統計計算し、計算結果を前記データベースに登録する計算部と、
前記データベースに登録された観測場所の映像と、前記端末から入力された文字情報および／または音声情報との組合せが存在するか否かを前記組合せ条件により判定する判定部と、
前記観測場所の映像と前記文字情報および／または音声情報との組合せが存在する場合に、前記映像と前記文字情報および／または音声情報とを前記データベースから読み出してデジタル信号で前記ネットワークを通じて該当監視機器へ送る制御部とを備え、
前記監視機器が、
前記サーバ装置から受信された前記デジタル信号を前記映像、前記文字情報、前記音声情報に復号および分離する復号部と、
前記文字情報を前記映像に重畳するための文字画面を生成し、生成した文字画面と前記映像とを合成し、合成映像を生成する合成部と、
前記合成部により合成された前記合成映像と、前記合成映像にタイミングを合わせた前記音声情報とを出力する出力部と
を具備することを特徴とする監視システム。
【請求項２】
前記データベースには各観測場所で災害が発生する恐れがあるとされる限度を示す通報条件が格納され、
前記通報条件と前記観測設備により観測された観測データを処理した結果とを比較して前記結果が前記通報条件を満たした場合に、前記監視機器へ前記合成映像を送るように制御することを特徴とする請求項１記載の監視システム。
【発明の詳細な説明】
【技術分野】
【０００１】
本発明は、例えばclosed circuit television システム（以下「ＣＣＴＶシステム」と称す）などの監視システムに関する。
【背景技術】
【０００２】
従来から、監視対象をカメラで撮影し、その映像に警報などの文字情報を重ねてネットワークを通じ映像集配装置へ送り、映像集配装置に接続したディスプレイに表示するシステムがある（例えば特許文献１参照）。
【先行技術文献】
【特許文献】
【０００３】
【特許文献１】特開２００５−１３６５５７号公報
【発明の概要】
【発明が解決しようとする課題】
【０００４】
しかしながら、従来の技術の場合、ディスプレイに表示される情報は、カメラの映像と単純な警報文字程度であり、監視者が災害を予測するための判断材料としては乏しいという問題があった。
【０００５】
本発明はこのような課題を解決するためになされたもので、サーバ装置が得る観測場所の映像と共に、監視者が災害を予測するための多くの判断材料を提供することができる監視システムを提供することを目的とする。
【課題を解決するための手段】
【０００６】
上記の課題を解決するために、本発明の監視システムは、観測場所に設置され、その場所の映像を撮影する撮像機器と、観測場所に設置され、その場所で観測データを取得する観測設備と、サーバ装置と、監視場所に設置され、前記撮像機器から送られてくる映像を監視するための監視機器と、前記監視機器に伝達するための文字情報および／または音声情報、前記サーバ装置に通報のための条件設定を行う端末とをネットワークで接続した監視システムにおいて、前記サーバ装置が、前記観測設備から今までに受信された観測データの過去データが保存され、前記映像と前記文字情報および／または音声情報との組合せ条件が前記端末から設定可能なデータベースと、前記端末から入力される文字情報および／または音声情報と、前記撮像機器により撮影された観測場所の映像と、前記観測設備から入力された観測データとをタイムスタンプして前記データベースに登録・保存する登録部と、前記データベースに新たに登録された前記観測設備からの観測データと前記過去データを使って統計計算し、計算結果を前記データベースに登録する計算部と、前記データベースに登録された観測場所の映像と、前記端末から入力された文字情報および／または音声情報との組合せが存在するか否かを前記組合せ条件により判定する判定部と、前記観測場所の映像と前記文字情報および／または音声情報との組合せが存在する場合に、前記映像と前記文字情報および／または音声情報とを前記データベースから読み出してデジタル信号で前記ネットワークを通じて該当監視機器へ送る制御部とを備え、前記監視機器が、前記サーバ装置から受信された前記デジタル信号を前記映像、前記文字情報、前記音声情報に復号および分離する復号部と、前記文字情報を前記映像に重畳するための文字画面を生成し、生成した文字画面と前記映像とを合成し、合成映像を生成する合成部と、前記合成部により合成された前記合成映像と、前記合成映像にタイミングを合わせた前記音声情報とを出力する出力部とを具備することを特徴とする。
【発明の効果】
【０００７】
本発明によれば、サーバ装置が得る観測場所の映像と共に、監視者が災害を予測する上で必要な多くの判断材料を提供することができる。
【図面の簡単な説明】
【０００８】
【図１】本発明の一実施形態の監視システムの構成を示す図である。
【図２】監視システムのサーバ装置の構成を示す図である。
【図３】監視システムの映像復号装置の構成を示す図である。
【図４】サーバ装置の動作を示すフローチャートである。
【図５】映像復号装置の動作を示すフローチャートである。
【図６】映像表示装置に表示される映像（画面）の一例を示す図である。
【発明を実施するための形態】
【０００９】
以下、図面を参照して、本発明の一つの実施の形態の監視システムを詳細に説明する。図１は監視システムの構成を示す図である。
【００１０】
図１に示すように、この実施形態の監視システムは、地点Ａに設置されたカメラ装置Ａ１（撮像機器）および映像符号化装置Ａ２、地点Ｂに設置されたカメラ装置Ｂ１（撮像機器）および映像符号化装置Ｂ２、地点Ｃに設置されたカメラ装置Ｃ１（撮像機器）および映像符号化装置Ｃ２、地点Ｄに設置されたカメラ装置Ｄ１（撮像機器）および映像符号化装置Ｄ２などの観測機器と、監視場所ａに設置された映像復号装置４ａおよび映像表示装置５ａ、監視場所ｂに設置された映像復号装置４ｂおよび映像表示装置５ｂなどの監視機器と、サーバ装置６、端末としての操作卓７、観測設備（気象観測設備８、地震観測設備９、越波観測装置１０、河川観測装置１１等）がＩＰネットワーク３で構築される情報伝送網により接続されたものであり、特にいつ発生するか予測しにくい災害の予兆を監視するためのシステムである。
【００１１】
カメラ装置Ａ１は、災害が起こる可能性のある場所に設置されており、その位置の監視映像を撮像するものである。映像符号化装置２は、カメラ装置Ａ１の映像信号をＩＰネットワーク３に送出するように圧縮符号化およびデジタル化する。
【００１２】
ＩＰネットワーク３は、デジタル化された映像信号や、観測設備から送られるデータをサーバ装置６へ伝送する。
【００１３】
サーバ装置６は、観測装置からのデータの受信や映像復号装置４ａ，４ｂへの情報の出力を統括制御する。操作卓７は、キーボード及びマイクなどが設けられており、サーバ装置６に対し手動で文字情報や音声情報などが入力される。操作卓７は、監視機器に伝達するための文字情報および／または音声情報の入力や、サーバ装置６に通報のための条件設定を行う端末である。
【００１４】
操作卓７からサーバ装置６に入力された文字情報や音声情報は、キーボードから入力された送り先（監視機器の識別情報）と共にデータベース６３に登録される。
【００１５】
映像復号装置４ａおよび映像表示装置５ａなどの監視機器は、カメラ装置Ａ１から送られてくる映像を監視するためのものである。映像復号装置４ｂおよび映像表示装置５ｂなどの監視機器は、カメラ装置Ｂ１から送られてくる映像を監視するためのものである。
【００１６】
映像復号装置４ａは、サーバ装置６から指示された圧縮・デジタル化された映像のデジタルデータを復号して映像信号を生成し、生成した映像信号に、サーバ装置６から受信された文字、表等の画面を映像に重畳して音声信号とともに映像表示装置５ａに出力する。
【００１７】
映像復号装置４ｂは、サーバ装置６から指示された圧縮・デジタル化された映像のデジタルデータを復号して映像信号を生成し、生成した映像信号に、サーバ装置６から受信された文字、表等の画面を映像に重畳して音声信号とともに映像表示装置５ｂ出力する。
【００１８】
すなわち、映像表示装置５ａ，５ｂ…は、映像復号装置４ａ，４ｂから入力される映像信号をモニタなどの画面に表示する。また映像表示装置５ａ，５ｂ…は映像復号装置４ａ，４ｂから入力される音声信号をスピーカから出力する。
【００１９】
気象観測設備８、地震観測設備９、越波観測装置１０、河川観測装置１１などの観測装置は、災害が起こる可能性のある場所に設置されており、その位置で各データを観測し、リアルタイムでサーバ装置６へ送る。つまり観測装置は、サーバ装置６が災害の予兆を判断するための情報の提供元となる。
【００２０】
気象観測設備８は、地点Ａの気温、風向・風速、雨量・積雪量などを観測する。地震観測設備９は、地点Ｂで地震の震度、ゆれの方向などを観測する。越波観測装置１０は、地点Ｃの海面や波の高さを観測する。河川観測装置１１は、地点Ｄの河川の水面の高さを観測する。
【００２１】
図２に示すように、サーバ装置６は、通信インタフェース６１、データ入力・登録部６２、データベース６３、統計・表計算処理部６４、文節・音声合成部６５、映像・音声組合せ判定部６６、制御部６７などを有している。
【００２２】
通信インタフェース６１は、ＩＰネットワーク３から、デジタル化された映像信号や、観測設備から送られてきたデータを受信する。
【００２３】
データ入力・登録部６２は、操作卓７から入力される文字・写真情報や音声情報、映像復号装置４ａ，４ｂへ送信する映像符号化装置の識別情報と、各種観測設備８〜１１から入力データされてデータ処理した結果の情報等をタイムスタンプしてデータベース６３に登録・保存する。
【００２４】
データベース６３には、各種観測設備８〜１１から今までに受信された観測データの過去データや観測データを統計計算した結果のデータ等が保存されている。またデータベース６３には、各種観測設備８〜１１から入力された観測データを処理した結果と比較するためのしきい値データが格納されている。しきい値データは、各観測場所で災害が発生する恐れがあるとされる限度を示す通報条件である。またデータベース６３には、映像と文字情報および／または音声情報との組合せ条件が操作卓７からの条件入力で設定可能である。
【００２５】
つまりデータベース６３には、操作卓７から入力される文字・写真情報や音声情報、映像復号装置がカメラ映像を受信するために必要な映像符号化装置の識別情報、各種観測設備８〜１１からの入力データをデータ処理した結果の情報等のデータがタイムスタンプされて、そのデータの送り先（監視場所の映像復号装置４ａ，４ｂ）を示す識別情報と共に時系列的に保存される。
【００２６】
統計・表計算処理部６４は、各種観測設備８〜１１から入力された観測データと過去データを使って統計計算や表計算を行う。すなわち、統計・表計算処理部６４は、データベース６３に新たに登録された観測設備からの観測データと過去データを使って統計計算し、計算結果をデータベース６３に登録する計算部として機能する。文節・音声合成部６５は、操作卓７から入力された文字・写真情報や音声情報、映像符号化装置の識別情報を、互いの同期をとるように合成する。
【００２７】
映像・音声組合せ判定部６６は、各種観測設備８〜１１からの観測データを処理した結果とデータベース６３の通報条件（しきい値データ）とを比較して、結果が通報条件（しきい値データ）を超えた場合（通報条件を満たした場合）、データベース６３に蓄積されている該当観測場所からのカメラ映像（映像符号化装置の識別情報）と、操作卓７から入力された文字・写真情報や音声情報との組合せ条件の有無を判定し、組合せ条件が存在すれば、その組み合わせを制御部６７に通知する。映像と音声との組合せ条件が設定されていなければ、映像の送り先の映像復号装置４ａ，４ｂの識別情報が一致しているか否かを判定し、一致していれば、映像復号装置４ａ，４ｂへ送るべき新たな情報としてデータベース６３に登録する。
【００２８】
すなわち、映像・音声組合せ判定部６６は、データベース６３に登録された観測場所の映像（映像符号化装置の識別情報）と、操作卓７から入力された文字情報および／または音声情報との組合せが可能か否かを前記組合せ条件により判定する判定部として機能する。
【００２９】
制御部６７は、上記各部を統括制御する。また制御部６７は、映像と文字および音声などの組合せが正しいもの（組合せ条件を満たしたもの）を、通信インタフェース６１からＩＰネットワーク３を通じて、該当監視場所の監視機器へ送る。
【００３０】
図３に示すように、映像復号装置４ａは、通信インタフェース４２、映像復号処理部４３、通信処理部５１、制御部５０、文字・表・写真映像蓄積部４４、表示制御部４５、合成部４６、映像出力部４７、音声蓄積部４８、音声出力部４９、電源部５２等を有している。
【００３１】
通信インタフェース４２は、映像符号化装置Ａ２からの映像信号やサーバ装置６からの映像符号化装置の識別情報、映像・音声データや制御信号を受信する。
【００３２】
通信処理部５１は、通信インタフェース４２を経由してサーバ装置６との間でデータベース６３に登録したデータの通信を行う。通信処理部５１は、通信インタフェース４２で受信されたデジタルデータが制御データであった場合に、制御データから映像符号化装置の識別情報、文字、表、写真、音声関係の制御信号のみを抽出し、制御部５０に渡す。
【００３３】
制御部５０は、通信処理部５１から受け取った映像符号化装置の識別情報、文字、表、写真、音声関係の制御信号より、映像符号化装置情報及び文字情報と音声情報に分離し、映像符号化装置の識別情報を映像復号処理部４３へ通知し、文字・表・写真などの文字関係の情報を文字・表・写真映像蓄積部４４に蓄積し、音声情報を音声蓄積部４８に蓄積する。
換言すると、映像復号処理部４３には、制御部５０により分離された映像符号化装置の識別情報が通知される。文字・表・写真映像蓄積部４４には、制御部５０により分離された文字・表・写真などのデータが蓄積される。音声蓄積部４８には、制御部５０により分離された中の音声情報が蓄積される。映像復号処理部４３は、映像符号化装置の識別情報に従い、例えば映像符号化装置Ａ２からの符号化データを復号し映像信号を生成する。
【００３４】
制御部５０は、通信インタフェース４２からの音声データを復号し音声蓄積部４８に蓄積する。換言すると、音声蓄積部４８には、制御部５０により復号された音声データが蓄積される。制御部５０は、映像出力部４７から出力される合成映像にタイミングを合わせるように音声情報を出力するよう音声情報の出力タイミングを制御する。
【００３５】
音声出力部４９は、音声蓄積部４８に蓄積された音声データを読み出して音声信号として映像表示装置５ａへ出力する。表示制御部４５は、文字・表・写真映像蓄積部４４に蓄積された文字・表・写真の映像を合成時に点滅させるなどの表示制御を行う。
【００３６】
合成部４６は、映像復号処理部４３からの映像信号（現地のカメラ映像）と、文字・表・写真映像蓄積部４４から表示制御部４５により表示制御される文字・表・写真の映像信号とを合成処理する。映像出力部４７は、合成部４６により合成処理された合成映像を映像表示装置５ａへ出力する。電源部５２は、上記各部へ電源を供給する。なお、図３では映像復号装置４ａの構成についいて説明したが、映像復号装置４ｂの構成も同様である。
【００３７】
次に、図４および図５のフローチャートを参照してこの監視システムの動作を説明する。
この監視システムでは、操作卓７から登録するデータと関連付けるカメラ映像の映像符号化装置１Ａ〜１Ｎの識別情報および、データの送り先である映像復号装置４ａ，４ｂの識別情報が入力される（図４のステップＳ１００、Ｓ１０１）。
【００３８】
そして、操作卓７から、表示文字、表・写真情報や音声情報等の表示・出力情報が入力されると、サーバ装置６では、データ入力・登録部６２は、操作卓７から入力された表示文字、表・写真情報をデータベース６３に登録する（ステップＳ１０２）。
【００３９】
さらに操作卓７から、音声情報が入力されると、データ入力・登録部６２は、操作卓７から入力された音声情報をデータベース６３に登録する（ステップＳ１０３）。
【００４０】
これ以外に、他の設備（観測機器や観測設備など）からは、現地の映像や観測データが入力されるため、これらの映像や観測データと表示・出力情報との組み合わせが可能か否かを示す情報（以下「組合せ条件」という）が入力される。
【００４１】
そして、各種観測設備８〜１１により観測されたそれぞれの観測データがサーバ装置６に入力されると（ステップＳ１０５〜Ｓ１０８）、サーバ装置６では、統計・表計算処理部６４が、入力された観測データを一つのパラメータとして過去の処理結果のデータと共に統計計算及び表計算を行い、該当映像復号装置４ａ，４ｂへ登録する表・グラフなど（の映像）を生成する（ステップＳ１０９）。
【００４２】
表・グラフなど（の映像）が生成されると、続いて、データ入力・登録部６２は、データベース６３を参照することで、データベース６３に既に登録済みのデータがあるか否かを判定し（ステップＳ１１０）、既に登録済みのデータが存在すると（ステップＳ１１０の有り）、データベース６３の該当レコードに、該当映像復号装置４ａ，４ｂへ送る文字・表・写真などの表示・出力情報を該当するカメラ映像にあたる映像符号化装置（例えば映像符号化装置Ａ２など）の識別情報と共に登録する。映像復号装置４ａ，４ｂへデータを保存するためには、登録する文字・表・写真情報をどの映像符号化装置の情報か識別しておく必要があるため、データを送ってきた映像符号化装置の識別情報と共に保存する。
【００４３】
また、データベース６３に既に登録済みのデータがない場合（ステップＳ１１０の無し）、データ入力・登録部６２は、入力された観測データと表示・出力情報との組合せ条件が設定されているか否かを判定する（ステップＳ１１２）。
【００４４】
この判定の結果、観測データと表示・出力情報との組合せ条件が設定されていた場合（ステップＳ１１２のＹｅｓ）、データ入力・登録部６２は、該当映像復号装置４ａ，４ｂへ送る文字・表・写真と音声と受信する映像符号化装置の識別情報をデータベース６３の該当レコードに登録する（ステップＳ１１３）。映像復号装置へデータを出力するためには、出力する文字・表・写真情報をどの映像符号化装置の映像と共に出力するかを示す情報が必要なため、映像復号処理部４３へ出力する映像符号化装置の識別情報を出力する。
【００４５】
上記判定の結果、観測データと表示・出力情報との組合せ条件が設定されていなかった場合（ステップＳ１１２のＮｏ）、データ入力・登録部６２は、このサーバ装置６の監視プログラム（システム）が稼働中か否かを判定し（ステップＳ１１４）、稼働中であれば（ステップＳ１１４の稼働中）、ステップＳ１０５の直前の処理に戻り、次の観測データの入力を待ち、監視動作が停止していれば（ステップＳ１１４の停止中）、この報知機能の動作を停止し、処理を終了する（ステップＳ１１５）。
【００４６】
すなわち、サーバ装置６では、出力対象のカメラ映像や音声をデータベース６３に登録・保存しておき、各種観測設備８〜１１から観測データが入力されたときに、入力データを処理し、それぞれの観測データの通報条件（しきい値データ）に基づいて、データベース６３に登録された映像符号化装置の識別情報、映像・音声などのデータを該当映像復号装置４ａ，４ｂへ送出する。
【００４７】
一方、映像復号装置４ａ，４ｂでは、例えば映像復号装置４ａの通信インタフェース４２に、デジタルデータｄ１が受信されると、そのデジタルデータｄ１がどんなデータかを識別する。例えば映像符号化装置Ａ２からの映像データａ１（カメラ映像）とサーバ装置６からの制御データｃ１に識別する（図５のステップＳ２０１）。
【００４８】
デジタルデータｄ１が制御データｃ１であった場合、通信処理部５１は、制御データｃ１より映像符号化装置・文字・表・写真・音声関係の制御信号（制御データｃ２）を抽出し（ステップＳ２０２）、制御部５０に渡す。
【００４９】
制御部５０は、通信処理部５１から受け取った制御データｃ２を、映像符号化装置の識別情報ｃ７、文字情報ｃ３，ｃ４と音声情報ｃ６に分離し（ステップＳ２０３）、映像符号化装置の識別情報ｃ７を映像復号処理部４３に出力し、文字情報ｃ３を文字・表・写真映像蓄積部４４に蓄積するとともに、文字情報ｃ４を表示制御部４５へ出力する。また制御部５０は、分離した音声情報ｃ６を音声蓄積部４８に蓄積する。
【００５０】
音声出力部４９は、音声蓄積部４８から音声情報ｃ６を読み出し、アナログの音声出力信号ｂ２に変換して映像表示装置５ａの音声入力端子へ出力する（ステップＳ２０４）。
【００５１】
一方、合成部４６は、文字・表・写真映像蓄積部４４から文字情報ｃ３を読み出し、その文字情報ｃ３から、カメラ映像に重畳させる文字画面ａ３を生成する（ステップＳ２０５）。
【００５２】
また、表示制御部４５は、制御部５０から入力された文字情報ｃ４に従い点滅制御を行うか否かを判定し、点滅制御を行う場合（ステップＳ２０６のＹｅｓ）、点滅制御を行うよう文字・表・写真映像蓄積部４４の文字情報ｃ３に対して読出間隔を空けて読み出すようタイミング制御することで、文字・表・写真等の映像の点滅制御を行う（ステップＳ２０７）。
【００５３】
ステップＳ２０２で分離された映像符号化装置の識別情報ｃ７を基に受信した映像データａ１が、映像復号処理部４３によって復号されてカメラ映像（映像データａ２）が生成され、合成部４６へ送られる。
【００５４】
合成部４６は、入力されたカメラ映像（映像データａ２）と文字画面ａ３とを合成して映像データａ４を生成する（ステップＳ２０９）。
【００５５】
そして、映像出力部４７は、合成部４６により生成された映像データａ４を映像表示装置５ａの映像入力端子へ出力する。すなわち、映像出力部４７は、映像データａ４を映像表示装置５ａのモニタに表示可能な信号ａ５へ変換し映像表示装置５ａへ出力する（ステップＳ２１０）。なおモニタに表示された画面の一例を図６に示す。
【００５６】
図６の画面６８では、カメラ装置Ａ１により撮影された映像（カメラ装置Ａ１設置位置の道路の映像）が背景に映し出され、その画面内の左上部に、過去の気象データからの統計処理された棒グラフが表示され、画面内の右側部に、現在時刻とそのときの気象データ（数値データ）が表示され、監視員が一目みれば、現地の状況が分かるようになっている。
【００５７】
このようにこの実施形態の監視システムによれば、各観測設備８〜１１から入力された観測データと過去データとを用いて統計計算し表やグラフの形態にしてカメラ映像とともにサーバ装置６から該当映像復号装置４ａ，４ｂへ送り出すので、観測場所のカメラ映像の他に監視者が災害を予測するための判断材料となる多くの情報を監視者に提供することができる。
すなわち、各観測設備８〜１１から得られた観測データから表やグラフ等の文字情報を生成し、現地のカメラ映像に重ねて該当映像表示装置５ａまたは映像表示装置５ｂの画面に表示すると共に音声や写真なども送るので、例えば監視場所ａでは、映像表示装置５ａの画面を監視者が見ることで、地点Ａの災害を予測する上で必要な多くの判断材料を画面から得ることができる。
【００５８】
また、データベース６３に登録されている映像・音声などのデータは過去の観測データと共に処理することで１ポイントの情報のみではなく時系列に沿った連続情報として提供でき、監視者が見易い形式で出力（表形式で表示する等）といったことができる。
【００５９】
すなわち、この監視システムによれば、現地のカメラ装置の映像や各種観測設備により観測された観測データを操作卓７の操作者が判断することなく、監視場所の映像監視者が状況認識し易い形態（映像・表・グラフ・写真・音声など）で判断材料を提供することができる。
【００６０】
なお、上記実施形態では、観測データが入力されたときに、その入力データと過去のデータとを合わせて統計処理し、しきい値データによる通報判定などは行わずに、該当映像復号装置４ａ，４ｂへ出力するようにしていたが、例えば入力データを統計処理した結果としきい値データとを比較して、入力データを統計処理した結果がしきい値データを超えたときに、映像や音声を合成し該当映像復号装置４ａ，４ｂへ出力するようにしてもよい。
【００６１】
本願発明は、上記実施形態のみに限定されるものではなく、実施段階ではその要旨を逸脱しない範囲で構成要素を変形してもよい。例えば各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。
【００６２】
電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００６３】
Ａ１，Ｂ１，Ｃ１〜Ｎ１…カメラ装置、Ａ２，Ｂ２，Ｃ２〜Ｎ２…映像符号化装置、３…ＩＰネットワーク、４ａ，４ｂ…映像復号装置、５ａ，５ｂ…映像表示装置、６…サーバ装置、７…操作卓、８…気象観測設備、９…地震観測設備、１０…越波観測装置、１１…河川観測装置、１６…合成部、４２…通信インタフェース、４３…映像復号処理部、４４…文字・表・写真映像蓄積部、４５…表示制御部、４６…合成部、４７…映像出力部、４８…音声蓄積部、４９…音声出力部、５０…制御部、５１…通信処理部、５２…電源部、５４…音声復号処理部、６１…通信インタフェース、６２…データ入力・登録部、６３…データベース、６４…統計・表計算処理部、６５…文節・音声合成部、６６…映像・音声組合せ判定部、６７…制御部、６８…画面。
【図１】
2010283592.tif 000003
【図２】
2010283592.tif 000004
【図３】
2010283592.tif 000005
【図４】
2010283592.tif 000006
【図５】
2010283592.tif 000007
【図６】
2010283592.tif 000008